(57)【要約】【課題】頭なしボルトをねじ孔に強固に立て込みながら、立て込みの作業性を大幅に高める。【解決手段】頭なしボルト１を立て込み用のねじ孔２に締め付けて立て込む治具である。保持体６に頭なしボルト１の先端部に螺合して導入する雌ねじ孔４を貫通して形成する。雌ねじ孔４に導入された頭なしボルト１の先端面３を押圧する押圧子５を保持体６に保持する。保持体６にハンドルバー７を頭なしボルト１の長さ方向に対して直交する方向に回動自在に保持する。ハンドルバー７の先端部にハンドルバー７の回転中心Ｘよりの距離が回転に伴って変更されるカム８を形成する。押圧子５にカム８に押圧される被押圧面９を形成する。【選択図】        図１
2004188515.tif 000002
【特許請求の範囲】
【請求項１】
頭なしボルトを立て込み用のねじ孔に締め付けて立て込む治具であって、保持体に頭なしボルトの先端部に螺合して導入する雌ねじ孔を貫通して形成し、雌ねじ孔に導入された頭なしボルトの先端面を押圧する押圧子を保持体に保持し、保持体にハンドルバーを頭なしボルトの長さ方向に対して直交する方向に回動自在に保持し、ハンドルバーの先端部にハンドルバーの回転中心よりの距離が回転に伴って変更されるカムを形成し、押圧子にカムに押圧される被押圧面を形成して成ることを特徴とするボルトの締め付け治具。
【請求項２】
ハンドルバーを保持体に対して起立した姿勢においてカムが押圧子の被押圧面を押圧するようにカム形状を設定し、ハンドルバーに工具係合部を形成して成ることを特徴とする請求項１記載のボルトの締め付け治具。
【請求項３】
ハンドルバーを保持体に対して倒した姿勢においてカムが押圧子の被押圧面を押圧するようにカム形状を設定して成ることを特徴とする請求項１記載のボルトの締め付け治具。
【発明の詳細な説明】
【０００１】
【発明の属する技術分野】
本発明は、頭なしボルトをねじ孔に締め付けて立て込む治具に関し、詳しくは、頭なしボルトをねじ孔に強固に立て込みながら、立て込みの作業性を大幅に高めようとする技術に係るものである。
【０００２】
【従来の技術】
従来、ねじ棒を寸切りした寸切りボルトのような頭なしボルト１をねじ孔２に締め付けて立て込む治具Ｊａとしては、図１５に示すような二つのナットａ、ｂを使用するものがある。以下、図１５乃至図１７に基づいて作業手順を説明する。
▲１▼  立て込みベース２３のねじ孔２に頭なしボルト１を手でねじ込む（図１５（ａ）（ｂ）参照）。
▲２▼  頭なしボルト１に小ナットａを手で螺合させる（図１５（ｃ）参照）。
▲３▼  頭なしボルト１に大ナットｂを手で螺合させる（図１６（ａ）参照）。
▲４▼  大ナットｂをスパナのような工具にて回転させて小ナットａに当て、一層の回転によってダブルナット効果によって小ナットａとともに頭なしボルト１を回転させ、頭なしボルト１をねじ孔２の奥底に押圧して強く締め付けて立て込む。（図１６（ｂ）参照）。
▲５▼  小ナットａを工具で回転させて螺進させて大ナットｂとの間に隙間ｄをつくる（図１７（ａ）参照）。
▲６▼  大ナットｂ及び小ナットａを手で緩めて外す（図１７（ｂ）参照）。
【０００３】
このような従来の冶具Ｊａによる立て込み作業においては、二つのナットａ、ｂを手で頭なしボルト１に螺合したり、外したり、スパナのような工具にてナットａ、ｂを締め付けたり、緩めたりする作業となるのであり、作業性が悪いという問題があった。
そこで、頭なしボルトをチャックにて掴んで手で回転させるボルト着脱工具がある。（例えば、特許文献１参照）
ところで、特許文献１においては、頭なしボルトを立て込み用のねじ孔に強固に締め付けることができないという問題がある。
【０００４】
【特許文献１】
特開２００１−３３４４７７号公報
【０００５】
【発明が解決しようとする課題】
本発明はこのような問題に鑑みてなされたものであり、頭なしボルトをねじ孔に強固に立て込みながら、立て込みの作業性を大幅に高めることができるボルトの締め付け冶具を提供することを目的とするものである。
【０００６】
【課題を解決するための手段】
請求項１の発明においては、頭なしボルト１を立て込み用のねじ孔２に締め付けて立て込む治具であって、保持体６に頭なしボルト１の先端部に螺合して導入する雌ねじ孔４を貫通して形成し、雌ねじ孔４に導入された頭なしボルト１の先端面３を押圧する押圧子５を保持体６に保持し、保持体６にハンドルバー７を頭なしボルト１の長さ方向に対して直交する方向に回動自在に保持し、ハンドルバー７の先端部にハンドルバー７の回転中心Ｘよりの距離が回転に伴って変更されるカム８を形成し、押圧子５にカム８に押圧される被押圧面９を形成していることを特徴とするものである。
このような構成によれば、ハンドルバー７を手作業で回転中心Ｘの回りに回転操作させてカム８を押圧子５に押圧させている押圧状態にし、立て込み用のねじ孔２にねじ込んだ頭なしボルト１の先端部に保持体６の雌ねじ孔４をねじ込んで頭なしボルト１を保持体６内に導入し、ハンドルバー７を工具又は手作業で強力に回転操作させるのに伴って保持体６を回転させ、頭なしボルト１に押圧子５を押圧しながら頭なしボルト１を立て込み用のねじ孔２の底面１２に強く当てて立て込み、その後、ハンドルバー７を手作業で回転中心Ｘの回りに回転操作させてカム８を押圧子５より解放させ、カム８よりの押圧の解放に伴って、カム８と押圧子５との当接、押圧子５と頭なしボルト１との当接、及び、頭なしボルト１と立て込み用のねじ孔２と底面１２との当接を解除することができ、このように強固な当接を解除することによって、手作業でハンドルバー７とともに保持体６を逆回転させ、冶具Ｊを頭なしボルト１から外すことができ、このようにして、頭なしボルト１を立て込み用のねじ孔２に強固に立て込みながら、立て込みの作業性を大幅に高めることができる。
【０００７】
請求項２の発明においては、ハンドルバー７を保持体６に対して起立した姿勢においてカム８が押圧子５の被押圧面９を押圧するようにカム形状を設定し、ハンドルバー７に工具係合部１０を形成していることを特徴とするものである。このような構成によればから、ハンドルバー７を立てた姿勢でカム８を被押圧面９に押圧でき、立てたハンドルバー７に形成した工具係合部１０に工具を係合させて頭なしボルト１を立て込み用のねじ孔２に強固にねじ込むことができる。
【０００８】
請求項３の発明においては、ハンドルバー７を保持体６に対して倒した姿勢においてカム８が押圧子５の被押圧面９を押圧するようにカム形状を設定していることを特徴とするものである。このような構成によればから、ハンドルバー７を倒した姿勢でカム８を被押圧面９に押圧でき、倒したハンドルバー７を持って回転操作することで、頭なしボルト１を立て込み用のねじ孔２に強固にねじ込むことができ、工具による作業を不要にできる。
【０００９】
【発明の実施の形態】
以下、本発明の実施の形態を説明する。図１は治具Ｊの分解斜視図である。図２は頭なしボルトの立て込み作業前の説明図である。図３は立て込み作業中の説明図である。図４は立て込み作業を終えて治具を外す作業を示す説明図である。
【００１０】
治具Ｊは、治具主体となる保持体６、保持体６に後述する僅かの範囲において昇降自在に保持される押圧子５、及び、保持体６に回動自在に枢支連結されたハンドルバー７等によって構成される。以下、各部材を詳述する。
【００１１】
保持体６は、円盤状のベース板１３に一対の起立側板１４、１４を間隔を隔てて設け、ベース板１３に雌ねじ孔４を貫通していて、頭なしボルト１の先端部に螺合して頭なしボルト１を起立側板１４、１４間に導入できるようにしている。
【００１２】
一対の起立側板１４、１４の下部には切欠き１５、１５を形成し、対向する切欠き１５、１５にて形成する保持凹所１６を形成している。起立側板１４、１４間に直方体状の押圧子５を配し、細いピン１７を貫通させて押圧子５を保持凹所１６に保持している。押圧子５は保持凹所１６において、細いピン１７の撓み変形、細いピン１７と押圧子５の挿通孔１８との公差、及び、細いピン１７と起立側板１４の保持孔１９との公差等によって、上述した僅かの範囲において昇降して、頭なしボルト１を押圧する状態と押圧を解放する状態とに切り換えることができるようにしている。
【００１３】
一対の起立側板１４、１４の上部には厚板状のハンドルバー７が細いピン１７よりも充分に太い回転軸２０にて頭なしボルト１の長さ方向とは略直交する方向に回動自在に保持されている。ハンドルバー７の先端部にはハンドルバー７の回転中心Ｘよりの距離が回転に伴って変更されるカム８を形成している［例えば、Ａ＞Ｂ（図４参照）］。一方、押圧子５の上面にはカム８に押圧される被押圧面９を形成している。又、ハンドルバー７を保持体６に対して起立した姿勢においてカム８が押圧子５の被押圧面９を押圧するようにカム形状を設定している（図２及び図３参照）。ハンドルバー７には六角面となる工具係合部１０を形成している。ハンドルバー７には連結ねじ孔２１を形成し、操作バー２２を連結してハンドルバー７を長くして操作力を低減させることができるようにしている。
【００１４】
以上のように構成した治具Ｊにより頭なしボルト１の立て込み作業を説明する。
【００１５】
まず、立て込みベース２３に形成した立て込み用のねじ孔２に頭なしボルト１を手でねじ込む［図２及び図５（ａ）（ｂ）参照］。保持体６に対してハンドルバー７を起立させてカム８が押圧子５を押圧している押圧状態において、頭なしボルト１の先端部に保持体６の雌ねじ孔４をねじ込んで頭なしボルト１を保持体６内に導入する［図６（ａ）参照］。
【００１６】
次に、工具係合部１０にスパナのような工具を係合してハンドルバー７を強力に回転操作させるのに伴って保持体６を回転させ、頭なしボルト１に押圧子５を押圧しながら頭なしボルト１を立て込み用のねじ孔２の底面１２に強く当てて立て込む［図３及び図６（ｂ）参照］。
【００１７】
その後、ハンドルバー７を手作業で回転中心Ｘの回りに回転操作させてカム８を押圧子５より解放させる［図４及び図７（ａ）参照］。このようなカム８よりの押圧の解放に伴って、カム８と押圧子５との当接ｅ、押圧子５と頭なしボルト１との当接ｆ、及び、頭なしボルト１と立て込み用のねじ孔２と底面１２との当接ｇを解除して、各々若干の隙間ｈ、ｉ、ｊを形成するのである［図３及び図４参照］。このようにカム８による強固な当接を解除することとハンドルバー７が倒されることによってハンドルバー７を手作業で頭なしボルト１の戻し方向への回転操作を軽くおこなえるようにするのである。
【００１８】
その後、手作業でハンドルバー７とともに保持体６を逆回転させ、冶具Ｊを頭なしボルト１から外すのである［図７（ｂ）参照］。
【００１９】
このようにして、頭なしボルト１を立て込み用のねじ孔２に強固に立て込みながら、立て込みの作業性を大幅に高めることができるのである。
【００２０】
図１２乃至図１４は他の実施の形態を示し、但し、本実施の形態の基本構成は上記実施の形態と共通であり、共通する部分には同一の符号を付して説明は省略する。
【００２１】
本実施の形態においては、ハンドルバー７を保持体６に対して倒した姿勢においてカム８が押圧子５の被押圧面９を押圧するようにカム形状を設定し、工具係合部１０をなくしたものである。
【００２２】
本実施の形態の治具Ｊにより頭なしボルト１の立て込み作業を説明する。
【００２３】
立て込みベース２３に形成した立て込み用のねじ孔２に頭なしボルト１を手でねじ込む［図１２（ａ）（ｂ）参照］。この場合、治具Ｊにおいては、保持体６に対してハンドルバー７を倒した姿勢でカム８が押圧子５を押圧している押圧状態になっている。頭なしボルト１の先端部に保持体６の雌ねじ孔４をねじ込んで頭なしボルト１を保持体６内に導入する［図１３（ａ）参照］。
【００２４】
次に、手作業で保持体６に対して倒しているハンドルバー７を回転操作させるのに伴って保持体６を回転させ、頭なしボルト１に押圧子５を押圧しながら頭なしボルト１を立て込み用のねじ孔２の底面１２に強く当てて立て込む［図１３（ｂ）参照］。
【００２５】
その後、ハンドルバー７を手作業で回転中心Ｘの回りに回転操作させ起立させてカム８を押圧子５より解放させる［図１４（ａ）参照］。このようなカム８よりの押圧の解放に伴って、カム８と押圧子５との当接ｅ、押圧子５と頭なしボルト１との当接ｆ、及び、頭なしボルト１と立て込み用のねじ孔２と底面１２との当接ｇを解除して、各々若干の隙間ｈ、ｉ、ｊを形成するのである［図１３（ｂ）及び図１４（ａ）参照］。このようにカム８による強固な当接を解除することによってハンドルバー７を手作業で頭なしボルト１の戻し方向への回転操作を軽くおこなえるようにするのである。
【００２６】
その後、手作業でハンドルバー７とともに保持体６を逆回転させ、冶具Ｊを頭なしボルト１から外すのである［図１４（ｂ）参照］。
【００２７】
本実施の形態においては、ハンドルバー７を倒した姿勢でカム８を被押圧面９に押圧でき、倒したハンドルバー７を持って回転操作することで、頭なしボルト１を立て込み用のねじ孔２に強固にねじ込むことができ、工具による作業を不要にでき、又、工具係合部１０をなくすことができる。
【００２８】
【発明の効果】
請求項１の発明においては、頭なしボルトを立て込み用のねじ孔に締め付けて立て込む治具であって、保持体に頭なしボルトの先端部に螺合して導入する雌ねじ孔を貫通して形成し、雌ねじ孔に導入された頭なしボルトの先端面を押圧する押圧子を保持体に保持し、保持体にハンドルバーを頭なしボルトの長さ方向に対して直交する方向に回動自在に保持し、ハンドルバーの先端部にハンドルバーの回転中心よりの距離が回転に伴って変更されるカムを形成し、押圧子にカムに押圧される被押圧面を形成しているから、ハンドルバーを手作業で回転中心の回りに回転操作させてカムを押圧子に押圧させている押圧状態にして、雌ねじ孔をねじ込んで頭なしボルトを保持体内に導入し、ハンドルバーを工具又は手作業で強力に回転操作させるのに伴って保持体を回転させて頭なしボルトに押圧子を押圧しながら頭なしボルトを立て込み用のねじ孔の底面に強く当てて立て込み、その後、ハンドルバーを手作業で回転中心の回りに回転操作させてカムを押圧子より解放させて手作業でハンドルバーとともに保持体を逆回転させ、冶具を頭なしボルトから外すことができ、このようにして、頭なしボルトを立て込み用のねじ孔に強固に立て込みながら、立て込みの作業性を大幅に高めることができるという利点がある。
【００２９】
請求項２の発明においては、請求項１の効果に加えて、ハンドルバーを保持体に対して起立した姿勢においてカムが押圧子の被押圧面を押圧するようにカム形状を設定し、ハンドルバーに工具係合部を形成しているから、ハンドルバーを立てた姿勢でカムを被押圧面に押圧でき、立てたハンドルバーに形成した工具係合部に工具を係合させて頭なしボルトを立て込み用のねじ孔に強固にねじ込むことができるという利点がある。
【００３０】
請求項３の発明においては、請求項１の効果に加えて、ハンドルバーを保持体に対して倒した姿勢においてカムが押圧子の被押圧面を押圧するようにカム形状を設定しているから、ハンドルバーを倒した姿勢でカムを被押圧面に押圧でき、倒したハンドルバーを持って回転操作することで、頭なしボルトを立て込み用のねじ孔に強固にねじ込むことができ、工具による作業を不要にできるという利点がある。
【図面の簡単な説明】
【図１】本発明のボルトの締め付け治具の実施の一形態を示す分解斜視図である。
【図２】同上の頭なしボルトの立て込み作業前の説明図である。
【図３】同上の立て込み作業中の説明図である。
【図４】同上の立て込み作業を終えて治具を外す作業を示す説明図である。
【図５】（ａ）（ｂ）は立て込み作業前の説明図である。
【図６】（ａ）（ｂ）は立て込み作業中の説明図である。
【図７】（ａ）（ｂ）は立て込み作業を終えて治具を外す作業を示す説明図である。
【図８】同上の治具を示し、（ａ）は正面図、（ｂ）は側面図、（ｃ）は一部破断した側面図である。
【図９】同上のハンドルバーを示し、（ａ）は側面図、（ｂ）は正面図、（ｃ）は平面図である。
【図１０】同上の保持体を示し、（ａ）は正面図、（ｂ）は側面図、（ｃ）は底面図である。
【図１１】同上の押圧子を示し、（ａ）は側面図、（ｂ）は正面図である。
【図１２】同上の他の実施の形態を示し、（ａ）（ｂ）は立て込み作業前の説明図である。
【図１３】（ａ）（ｂ）は立て込み作業中の説明図である。
【図１４】（ａ）（ｂ）は立て込み作業を終えて治具を外す作業を示す説明図である。
【図１５】従来例を示し、（ａ）（ｂ）（ｃ）は立て込み作業を示す説明図である。
【図１６】（ａ）（ｂ）は同上の立て込み作業中の説明図である。
【図１７】（ａ）（ｂ）は同上の立て込み作業を終えて治具を外す作業を示す説明図である。
【符号の説明】
１    頭なしボルト
２    立て込み用のねじ孔
３    頭なしボルトの先端面
４    雌ねじ孔
５    押圧子
６    保持体
７    ハンドルバー
８    カム
９    被押圧面
１０  工具係合部
【図１】
2004188515.tif 000003
【図２】
2004188515.tif 000004
【図３】
2004188515.tif 000005
【図４】
2004188515.tif 000006
【図５】
2004188515.tif 000007
【図６】
2004188515.tif 000008
【図７】
2004188515.tif 000009
【図８】
2004188515.tif 000010
【図９】
2004188515.tif 000011
【図１０】
2004188515.tif 000012
【図１１】
2004188515.tif 000013
【図１２】
2004188515.tif 000014
【図１３】
2004188515.tif 000015
【図１４】
2004188515.tif 000016
【図１５】
2004188515.tif 000017
【図１６】
2004188515.tif 000018
【図１７】
2004188515.tif 000019